(57)【要約】【課題】  現像済みの医用フィルムに反射性材料を用いて識別情報を印刷することから、特別な光源を用いることなく容易に情報を視認することができる医用フィルム印刷装置を提供することにある。【解決手段】  透過性資料である医用フィルムに、反射性材料を用いて印刷を施す印刷手段と、患者の識別情報を入力するデータ入力手段とを備え、現像済みの医用フィルムに識別情報を印刷することを特徴とする。【選択図】図１
2006043084.tif 000002
【特許請求の範囲】
【請求項１】
透過性資料である医用フィルムに、反射性材料を用いて印刷を施す印刷手段と、
患者の識別情報を入力するデータ入力手段とを備え、
現像済みの該医用フィルムに該識別情報を印刷することを特徴とする医用フィルム印刷装置。
【請求項２】
前記データ入力手段が、予め前記識別情報を記録した記録媒体から情報を読み取る情報読取手段からなることを特徴とする請求項１記載の医用フィルム印刷装置。
【請求項３】
前記データ入力手段が、ネットワークを介して前記識別情報を取得する接続手段からなることを特徴とする請求項１記載の医用フィルム印刷装置。
【請求項４】
前記データ入力手段が、前記医用フィルム上に現像された前記識別情報を読み取るスキャン手段からなることを特徴とする請求項１記載の医用フィルム印刷装置。
【請求項５】
前記データ入力手段と、前記医用フィルム上に現像された前記識別情報を読み取るスキャン手段とを備え、該データ入力手段で入力された前記識別情報と、該スキャン手段で読み取られた該識別情報とを比較して差異を判断する情報確認手段を備えることを特徴とする請求項１〜請求項３のいずれかに記載の医用フィルム印刷装置。
【請求項６】
前記印刷手段が、下地印刷をした後、該下地印刷の上に前記識別情報を印刷することを特徴とする請求項１〜請求項５いずれかに記載の医用フィルム印刷装置。
【請求項７】
前記医用フィルムと該医用フィルムを収納するための袋とを識別するフィルム判別手段を備え、
複数の患者の該医用フィルムを該袋で区切って重ね、
該フィルム判別手段が該袋を検出する度に別の患者の該医用フィルムに変わったことを認識し、患者単位で前記識別情報を該医用フィルムに印刷することを特徴とする請求項１〜請求項６のいずれかに記載の医用フィルム印刷装置。
【請求項８】
前記印刷手段が、前記医用フィルムを収納するための袋に前記識別情報を印刷可能なことを特徴とする請求項１〜請求項７のいずれかに記載の医用フィルム印刷装置。
【発明の詳細な説明】
【技術分野】
【０００１】
本発明は、Ｘ線検査等に用いられる医用フィルムに印刷を施す医用フィルム印刷装置に関する。
【背景技術】
【０００２】
従来より、超音波診断装置、ＣＴ診断装置、ＭＲＩ診断装置、Ｘ線診断装置等の医療用画像診断装置において、撮影した画像を記録する媒体として医用フィルムが用いられてきた。この医用フィルムは、透過性資料であり、医用フィルムを見るために特別に用意された光源の光を医用フィルムの後方から照射することによって、記録された情報を目視することが可能になる。
【０００３】
従来の医用フィルムに記録される情報としては、撮影された画像の他、被検査対象の患者の氏名、生年月日、患者番号等の識別情報がある。識別情報は、電子的処理により、撮影された画像に付加する形で医用フィルムに透過的に目視可能な文字として記録される。
尚、この先行技術は、文献公知に係るものでないため、記載すべき先行技術文献情報はない。
【発明の開示】
【発明が解決しようとする課題】
【０００４】
しかしながら、従来の医用フィルムは、室内の通常の照明や自然光では記録された内容を目視し識別情報を確認することは困難であった。
【０００５】
本発明は、このような事情に鑑みてなされたもので、現像済みの医用フィルムに反射性材料を用いて識別情報を印刷することで、特別な光源を用いることなく容易に情報を視認することができる医用フィルム印刷装置を提供することにある。
【課題を解決するための手段】
【０００６】
請求項１記載の医用フィルム印刷装置は、透過性資料である医用フィルムに、反射性材料を用いて印刷を施す印刷手段と、患者の識別情報を入力するデータ入力手段とを備え、現像済みの医用フィルムに識別情報を印刷することを特徴とする。
【０００７】
請求項２記載の医用フィルム印刷装置は、データ入力手段が、予め識別情報を記録した記録媒体から情報を読み取る情報読取手段からなることを特徴とする。
【０００８】
請求項３記載の医用フィルム印刷装置は、データ入力手段が、ネットワークを介して識別情報を取得する接続手段からなることを特徴とする。
【０００９】
請求項４記載の医用フィルム印刷装置は、データ入力手段が、医用フィルム上に現像された識別情報を読み取るスキャン手段からなることを特徴とする。
【００１０】
請求項５記載の医用フィルム印刷装置は、データ入力手段と、医用フィルム上に現像された識別情報を読み取るスキャン手段とを備え、データ入力手段で入力された識別情報と、スキャン手段で読み取られた識別情報とを比較して差異を判断する情報確認手段を備えることを特徴とする。
【００１１】
請求項６記載の医用フィルム印刷装置は、印刷手段が、下地印刷をした後、下地印刷の上に識別情報を印刷することを特徴とする。
【００１２】
請求項７記載の医用フィルム印刷装置は、医用フィルムと医用フィルムを収納するための袋とを識別するフィルム判別手段を備え、複数の患者の医用フィルムを袋で区切って重ね、フィルム判別手段が袋を検出する度に別の患者の医用フィルムに変わったことを認識し、患者単位で識別情報を医用フィルムに印刷することを特徴とする。
【００１３】
請求項８記載の医用フィルム印刷装置は、印刷手段が、医用フィルムを収納するための袋に識別情報を印刷可能なことを特徴とする。
【発明の効果】
【００１４】
請求項１の発明によれば、現像済みの医用フィルムに反射性材料を用いて識別情報を印刷することから、光源を用いることなく容易に情報を視認することができる。
【００１５】
請求項２の発明によれば、予め識別情報を記録した記録媒体から情報を読み取ることから、改めて識別情報を入力する必要がなく、操作が容易である。
【００１６】
請求項３の発明によれば、ネットワークを介して識別情報を取得することから、改めて識別情報を入力する必要がなく、操作が容易である。
【００１７】
請求項４の発明によれば、データ入力手段が、医用フィルム上に現像された識別情報を読み取ることから、他の記録媒体を用いたり改めて識別情報を入力する必要がなく、操作が容易である。
【００１８】
請求項５の発明によれば、データ入力手段で入力された識別情報と、スキャン手段で読み取られた識別情報とを比較して差異を判断することから、医用フィルムの取り違えやスキャン手段での誤読を防止し、正確に識別情報を医用フィルムに印刷することができる。
【００１９】
請求項６の発明によれば、印刷手段が、下地印刷をした後、下地印刷の上に識別情報を印刷することから、医用フィルムの色彩に影響されることなく任意な色で印刷ができ、印刷する識別情報の視認性を向上させることができる。
【００２０】
請求項７の発明によれば、複数の患者の医用フィルムを袋で区切って重ね、フィルム判別手段が袋を検出する度に別の患者の医用フィルムに変わったことを認識し、患者単位で識別情報を医用フィルムに印刷することから、一人の患者あたりの医用フィルムの枚数を管理する必要がなく、操作が容易となる。
【００２１】
請求項８の発明によれば、印刷手段が、医用フィルムを収納するための袋に識別情報を印刷可能なことから、袋への識別情報の記載を自動化で、作業が容易となる。
【発明を実施するための最良の形態】
【００２２】
以下、本発明の形態について図面を参照しながら具体的に説明する。本発明の形態における医用フィルム印刷装置は、超音波診断装置、ＣＴ診断装置、ＭＲＩ診断装置、Ｘ線診断装置等の医療用画像診断装置で撮影された画像を現像した医用フィルムに、被検査対象の患者の氏名、生年月日、患者番号等の識別情報を印刷するためのものである。尚、医用フィルムは透過性資料であり、画像診断装置で撮影された画像は、光源の光を医用フィルムの後方から照射することによって目視することが可能である。
【実施例１】
【００２３】
図１は本発明に係る医用フィルム印刷装置の第１の実施例を示す説明図、図２は同医用フィルム印刷装置の構成を示す構成図である。図３は同医用フィルム印刷装置の動作を示すフローチャート、図４は同医用フィルム印刷装置の情報印刷の動作を示すフローチャートである。図５は、同医用フィルム印刷装置で印刷された医用フィルムの例を示す説明図である。
【００２４】
図において、医用フィルム印刷装置１は、画像診断装置（図示せず）に接続された医用フィルム５の現像装置６に組み込まれ、現像済医用フィルム５ａに撮影した患者の識別情報を印刷するためのものである。医用フィルム印刷装置１は、構造的には、本体筐体となるフィルムトレイ１６、現像済医用フィルム５ａ及び印刷済医用フィルム５ｂを搬送する駆動する無端ベルト状のフィルム搬送機構１５ａ〜１５ｃ、プリンタ１１等からなる。また、電子回路的な部分として、図２に示すように、装置全体の制御を行うコンピュータ１０、診察カード（診察券）８の情報を読み取るカードリーダ１２から構成されている。そして、医用フィルム印刷装置１の使用にあたっては、現像装置６の現像済フィルム５ａが排出されるフィルムトレイ６ｂの上に、フィルム搬送機構１５ａ〜１５ｃが位置されるように本体筐体となるフィルムトレイ１６を配置する。
【００２５】
ここで、プリンタ１１は、現像装置６とは異なり、透過性資料である現像済医用フィルム５ａに反射性材料を用いて印刷を施す印刷手段である。反射性材料は、トナーやインクのように室内の通常の照明や自然光で目視することができるものである。尚、光源からの透過光を用いることなく印刷された識別情報を目視できれば、反射性材料の材質や色によって制限されるものではない。プリンタ１１の例としては、インクジェット式プリンタやリボン式プリンタがある。また、熱転写方式で印刷するものであってもよい。
【００２６】
カードリーダ１２は、診察カード８に記録された被検査対象の患者の氏名、生年月日、患者番号等の識別情報を、医用フィルム印刷装置１に取り込むためのものであり、識別情報のデータ入力手段である。すなわち、現像済医用フィルム５ａに印刷される識別情報は、患者の氏名、生年月日、患者番号等である。尚、印刷される識別情報は、これらの情報に限られるものではなく、現像済医用フィルム５ａに現像された患者を峻別することが出来る情報であれば、文字に限らず記号や画像であっても構わない。また、識別番号を取り込む場合、必ずしも外部の記録媒体を用いる必要はなく、操作者が識別情報を医用フィルム印刷装置１に直接手入力しても構わない。
【００２７】
尚、本実施例では、識別情報を読み取る媒体として診察カード８を用い、カードリーダ１２で読み取りを行っているが、予め識別情報が記録された記録媒体であればよく、カードリーダ１２を用いるものに限られるわけでもない。例えば、診察カード８のように磁気的に識別情報が記録されているのではないバーコードとして印刷されており、バーコードリーダで読み取るようなものであってもよい。また、本装置の制御を行う手段としてコンピュータ１０を用いているが、本装置の制御が可能であればコンピュータ１０に限られるものではない。
【００２８】
次に、撮影からはじまる一連の医用フィルム印刷装置１の動作を説明する。尚、以後の説明において、括弧内の符号は図３及び図４の各フローチャートの符号に対応している。まず、患者を撮影するにあたって、患者の識別情報の収集を行う（Ｓ１０１）。この識別情報の収集は、基本的には患者がその病院で初めて受診した時に行うことになる。収集された識別情報をもとに診察カード８が作成される（Ｓ１１１）と共に、識別情報が管理用のデータベース等に登録される（Ｓ１０２）。尚、診察カード８は医用フィルム印刷装置１にだけ使用するわけではないので撮影前に発行しているが、本装置のみに使用するのであれば、必ずしも撮影前に識別情報を収集する必要はない。但し、他の診察、診察予約、診察料請求等に共通的に用いられる診察カード８を用いることで、識別情報の管理が容易となったり、取り扱う記録媒体の数を抑えることができ、情報管理の簡略化が可能である。
【００２９】
次に、超音波診断装置、ＣＴ診断装置、ＭＲＩ診断装置、Ｘ線診断装置等の医療用画像診断装置で実際に患者の撮影を行うのであるが、それに先だって患者の取り違え等のミスを防ぐために患者の確認を行う。実際には患者の識別情報と患者との照合を、診察カード８とカルテ間で行ったり、患者に名前や生年月日を尋ねたりすることによって行う（Ｓ１０３）。撮影する患者の確認を行った後（Ｓ１０３−ＯＫ）、画像診断装置により撮影を行う（Ｓ１０４）。画像診断装置で撮影された結果は、医用フィルム５に現像するため現像装置６に送られ、現像装置６で医用フィルム５に現像されて出力される（Ｓ１０５）。現像される現像済医用フィルム５ａの枚数は撮影の種類によっても異なるが、一人の患者について複数枚となる。
【００３０】
次に、医用フィルム印刷装置１を用いて、現像装置６から出力された現像済医用フィルム５ａに、識別情報の印刷を行う（Ｓ１０７）。具体的には、まず、診察カード８を医用フィルム印刷装置１のカードリーダ１２に挿入し（Ｓ２０１）、診察カード８から撮影した患者の識別情報を読み取る（Ｓ２０２）。読み取られた識別情報をコンピュータ１０の画面等に表示させるなどして、印刷しようとする現像済医用フィルム５ａと印刷する識別情報との確認を行う（Ｓ２０３）。識別情報の取り違え等が判明した場合には（Ｓ２０３−ＮＧ）、改めて識別情報の読み取りを行う等してミスの防止を行う（Ｓ２０１〜Ｓ２０３）。
【００３１】
識別情報の確認が終わった後（Ｓ２０３−ＯＫ）、現像済医用フィルム５ａを医用フィルム印刷装置１に投入する（Ｓ２０４）。尚、一人の患者の現像済医用フィルム５ａの枚数が１枚の場合は特に問題がないが、複数枚の場合には現像済医用フィルム５ａの枚数を入力する必要がある。本実施例の医用フィルム印刷装置１の場合には、現像装置６の排出口６ａから出てきた現像済医用フィルム５ａが、フィルム搬送機構１５ａに載置されることで投入された状態となる。フィルム搬送機構１５ａに載置された現像済医用フィルム５ａは、フィルム搬送機構１５ａ，１５ｂによりプリンタ１１の印刷可能域に搬送され、プリンタ１１により識別情報が印刷される（Ｓ２０５）。
【００３２】
現像済医用フィルム５ａへの印刷について説明すると、まず、現像済医用フィルム５ａには、図５に例示する印刷済医用フィルム５ｂの中の、人体画像５ｂａと診断情報５ｂｂとが現像されている。この人体画像５ｂａと診断情報５ｂｂは、あくまでも透過性資料である医用フィルム５に透過性の画像として現像されたもので、ビュアー等の光源からの透過光を照射することにより目視することができる情報である。このような現像済医用フィルム５ａに、反射製材料であるトナーやインクのような室内の通常の照明や自然光で目視することができるもので印刷を行う。すなわち、例えば白のインクで、現像済医用フィルム５ａの表面に、患者の氏名、生年月日、患者番号等を印刷する。
【００３３】
以上のように、医用フィルム印刷装置１は、現像済医用フィルム５ａにインク等の反射性材料を用いて識別情報を印刷することから、ビュアー等の光源を用いることなく容易に情報を視認することができる。特に、多くの患者の医用フィルム５を同時に扱う病院などでは、患者の取り違えを防止するための確認が重要であるが、印刷済医用フィルム５ｂの識別情報を肉眼で視認できることで、確認作業の効率を向上させることができる。
【００３４】
尚、印刷する識別情報は、患者の氏名、生年月日、患者番号の様な文字情報に限られるものではなく、図５のマーク５ｂｅで示すような記号であってもよい。記号としては、男女の別を明示するものや、画像診断装置、撮影部位等を明示するものがある。尚、印刷する色は、白の他、室内の通常の照明や自然光で目視することができるものであればよく、蛍光色や金属色のような色であっても構わない。また、図５の識別情報印刷部５ｂｃに示すように、白抜きにより識別情報５ｂｄを表すようにしてもよい。
【００３５】
さらに、デジタルカメラで撮影した患者の肖像を画像として印刷することも可能である。患者を撮影するタイミングとしては、診察カード８の発行時の識別情報の収集時（Ｓ１０１）であってもよいし、撮影寸前の識別情報の確認時（Ｓ１０３）や、識別情報を印刷する寸前で、患者の識別情報の再収集（Ｓ１０６）として行ってもよい。但し、患者の容姿は絶えず変化するため、診察カード８の発行時では画像が古い場合も考えられるので、印刷する寸前に取得するのがより好ましい。また、画像としては肖像に限られるものではなく患者自らが手書きしたサインや絵等の患者を識別する識別情報となるものであればよい。患者の肖像を画像として印刷することで、医用フィルム５がどの患者のものであるか一目瞭然で、患者の取り違えを防止することが容易である。
【００３６】
また、一般に医用フィルム５は、黒っぽい色であることから、まず白色のような下地になる色で下地印刷を行った後に、その下地印刷の上に他の色で識別情報を印刷するようにしてもよい。下地印刷を施すことで医用フィルムの色彩に影響されることなく任意な色で印刷ができ、印刷する識別情報の視認性を向上させることができる。特に、下地印刷を施した上に画像を印刷することで、より鮮明な画像を印刷できる。また、印刷する色を医用フィルム５の色に左右されることなく任意に選択できることから、写真印刷も可能となる。
【００３７】
尚、印刷が終わった印刷済医用フィルム５ｂは、フィルム搬送機構１５ａ，１５ｃにより、フィルムトレイ１６に排出される（Ｓ２０６）。尚、本実施例の医用フィルム印刷装置１は、フィルム搬送機構１５ａ〜１５ｃを備え、医用フィルム５を自動搬送しながら印刷を施す構成としている。しかしながら、プリンタ１１に手動で一枚一枚セットして印刷を行うようにしても構わない。但し、一人の患者で複数枚連続して印刷する必要があることから、本実施例のようなフィルム搬送機構１５ａ〜１５ｃを備えることで業務の効率化が可能である。
【００３８】
また、本実施例の医用フィルム印刷装置１は、従来からある現像装置６に取り付けて使用することができることから、現像装置６を新しくする必要が無く装置設置のコストを抑えることが可能である。
【実施例２】
【００３９】
実施例１の医用フィルム印刷装置１は、従来からある現像装置６に載置した状態で使用する装置を説明したが、現像装置の形状等によっては医用フィルム印刷装置１を使用できない場合もある。本実施例では、現像装置６に載置するのではなく単独で用いることが可能な医用フィルム印刷装置２について説明する。
【００４０】
図６は、本発明に係る医用フィルム印刷装置の第２の実施例を示す説明図である。
【００４１】
図において、医用フィルム印刷装置２は、画像診断装置に接続された医用フィルム５の現像装置で現像された現像済医用フィルム５ａに、撮影した患者の識別情報を印刷するためのものである。医用フィルム印刷装置２は、構造的には、現像済医用フィルム５ａを最初に載置するフィルムストッカ２８と、プリンタ２１の基台２３と、現像済医用フィルム５ａをフィルムストッカ２８から基台２３に送る無端ベルト状のフィルム上下機構２７と、印刷済医用フィルム５ｂを蓄えるフィルムトレイ２９とから構成されている。基台２３は、現像済医用フィルム５ａを一枚づつ送るためのフィルム送りローラ２６ａ，２６ｂが門状のローラーサポータ２６により支持されている。また、基台２３のほぼ中央を横断するように、基台２３上で現像済医用フィルム５ａを送るためのフィルム送りローラ２５が設けられている。さらに、基台２３の両脇には板状のレール支持台２４が設けられ、レール支持台２４の間に架け渡された２本のスライドレール２４ａにプリンタ２１が摺動自在に設けられている。
【００４２】
また、電子回路的な部分として、装置全体の制御を行う制御装置２０、診察カード（診察券）８の情報を読み取るカードリーダ２２から構成されている。そして、制御装置２０にカードリーダ２２及び基台２３が接続されている。尚、プリンタ２１、カードリーダ２２は実施例１の医用フィルム印刷装置１と同様なので説明を省略する。また、制御装置２０については、コンピュータ１０と同様の機能を果たすものであり、装置全体の制御を行う専用コンピュータと捕らえることが可能である。印刷する識別情報についても実施例１の場合と同様なので説明を省略する。
【００４３】
次に、医用フィルム印刷装置２の動作を説明する。尚、以後の説明において、括弧内の符号は図４の各フローチャートの符号に対応している。まず、診察カード８を医用フィルム印刷装置２のカードリーダ２２に挿入し（Ｓ２０１）、診察カード８から撮影した患者の識別情報を読み取る（Ｓ２０２）。読み取られた識別情報を制御装置２０の画面等に表示させるなどして、印刷しようとする現像済医用フィルム５ａと印刷する識別情報との確認を行う（Ｓ２０３）。識別情報の取り違え等が判明した場合には（Ｓ２０３−ＮＧ）、改めて識別情報の読み取りを行う等してミスの防止を行う（Ｓ２０１〜Ｓ２０３）。
【００４４】
識別情報の確認が終わった後（Ｓ２０３−ＯＫ）、現像済医用フィルム５ａをフィルムストッカ２８に載置する。載置する現像済医用フィルム５ａは、１枚である必要はなく、１人の患者分のものを同時に載置すればよい。次に、制御装置２０に印刷開始を指示すると、制御装置２０からの制御でフィルム上下機構２７が、無端ベルトを回転させながら基台２３側が上昇し、フィルムストッカ２８の現像済医用フィルム５ａを基台２３に送る。基台２３に送られた現像済医用フィルム５ａは、まず、フィルム送りローラ２６ａ，２６ｂによって一枚ずつ基台２３の奥方向にあるフィルム送りローラ２５に送られる。
【００４５】
フィルム送りローラ２５に送られた１枚の現像済医用フィルム５ａは、フィルム送りローラ２５で位置決めされた状態でプリンタ２１の下に送られる。この位置で、制御装置２０の指示で、プリンタ２１が現像済医用フィルム５ａに識別情報の印刷を行う（Ｓ２０５）。印刷された印刷済医用フィルム５ｂは、フィルム送りローラ２５によって、基台２３からフィルムトレイ２９の方に排出される（Ｓ２０６）。これにより、１枚の現像済医用フィルム５ａの印刷が終了する。この印刷の作業を繰り返し、フィルムストッカ２８に載置した現像済医用フィルム５ａのすべてを印刷する。尚、一人の患者分の複数枚の現像済医用フィルム５ａに印刷する識別情報は、同一であってもよいし、ページ情報等を考慮して異なる情報を印刷しても構わない。尚、プリンタ２１は、熱転写方式で印刷するものであってもよく、この場合には基台２３の一部がせり上がり（図示しない）プリンタ２１と現像済医用フィルム５ａを密着させて印刷するようにする。
【００４６】
以上のような現像装置に取り付けず単独で用いることのできる医用フィルム印刷装置２であれば、現有の現像装置を換えることなく医用フィルム５への印刷が可能であり、画像診断装置に係る費用を抑えることが可能である。
【実施例３】
【００４７】
実施例１及び実施例２の医用フィルム印刷装置１、２は、識別情報の取得にあたり、診察カード８等のオフラインの記録媒体を用いている。しかしながら、識別情報を既に構築されたデータベースからネットワークを介して取得することも可能であり、ネットワークを用いた形態について説明する。
【００４８】
図７は、本発明に係る医用フィルム印刷装置の第３の実施例を示す構成図である。
【００４９】
図において、医用フィルム印刷装置３は、画像診断装置に接続されて医用フィルム５の現像を行うと共に、現像された現像済医用フィルム５ａに、撮影した患者の識別情報を印刷するためのものである。医用フィルム印刷装置３は、装置全体の制御を行う制御部３０と、医用フィルム５を現像するための現像装置３５と、現像装置３５で現像された現像済医用フィルム５ａに識別情報を印刷するプリンタ３１と、現像装置３５や外部の装置とネットワーク３８で接続するための通信インタフェース（通信Ｉ／Ｆ）３３，３４を備えている。尚、プリンタ３１は実施例１の医用フィルム印刷装置１と同様なので説明を省略する。また、制御装置３０については、コンピュータ１０と同様の機能に加えネットワーク３８の制御を行うものであり、装置全体の制御を行う専用コンピュータと捕らえることが可能である。印刷する識別情報についても実施例１の場合と同様なので説明を省略する。
【００５０】
また、医用フィルム印刷装置３には、ネットワーク３８を介して複数の画像診断装置７ａ〜７ｃが接続されている。この画像診断装置７ａ〜７ｃは、すべて同一の画像診断装置である必要はなく、それぞれ別の種類の撮影が可能な装置であっても構わない。また、ネットワーク３８には１つのカードリーダ制御部３２により制御されたカードリーダ３２ａが設けられている。このカードリーダ制御部３２及びカードリーダ３２ａは、診察カード８に記録された識別情報をネットワーク３８を介して医用フィルム印刷装置３に送るためのものである。さらに、医用フィルム印刷装置３には、ネットワーク３８介して識別情報が予め登録されたデータベースと接続されている。
【００５１】
尚、本実施例では、識別情報を読み取る媒体として診察カード８を用い、カードリーダ３２ａで実際に読み取りを行っているが、予め識別情報が記録された記録媒体であればよく、カードリーダ３２ａを用いるものに限られるわけでもない。例えば、ネットワーク３８に接続可能なバーコードリーダであってもよい。
【００５２】
次に、本実施例の医用フィルム印刷装置３の動作を説明する。尚、以後の説明において、括弧内の符号は図３及び図４の各フローチャートの符号に対応している。まず、患者を診察するにあたって、患者の識別情報の収集を行う（Ｓ１０１）。この識別情報の収集は、基本的には患者がその病院で初めて受診した時に行うことになる。収集された識別情報をもとに診察カード８が作成される（Ｓ１１１）と共に、識別情報がネットワーク３８に接続されたデータベース３７に登録される（Ｓ１０２）。
【００５３】
次に、画像診断装置７ａ〜７ｃで患者の撮影を行うのであるが、それに先だって患者の取り違え等のミスを防ぐために患者の確認を行う。実際には患者の識別情報と患者との照合を、診察カード８とカルテ間で行ったり、患者に名前や生年月日を尋ねたりすることによって行う（Ｓ１０３）。撮影する患者の確認を行った後（Ｓ１０３−ＯＫ）、画像診断装置７ａ〜７ｃにより撮影を行う（Ｓ１０４）。画像診断装置で撮影された結果は、医用フィルム５に現像するためネットワーク３８を介して現像装置３５に送られ、現像装置３５で医用フィルム５に現像されて出力される（Ｓ１０５）。現像される現像済医用フィルム５ａの枚数は撮影の種類によっても異なるが、一人の患者について複数枚となる。
【００５４】
次に、現像装置３５から出力された現像済医用フィルム５ａに、識別情報の印刷を行う（Ｓ１０７）。具体的には、まず、制御部３０がネットワーク３８を介して、データベース３７から撮影した患者の識別情報を取得する。取得された識別情報を制御部３０の画面等に表示させるなどして、印刷しようとする現像済医用フィルム５ａと印刷する識別情報との確認を行う（Ｓ２０３）。識別情報の取り違え等が判明した場合には（Ｓ２０３−ＮＧ）、改めて識別情報の読み取りを行う等してミスの防止を行う（Ｓ２０１〜Ｓ２０３）。識別情報の確認が終わった後（Ｓ２０３−ＯＫ）、現像済医用フィルム５ａは、プリンタ３１によって識別情報が印刷されて、印刷済医用フィルム５ｂとなる。
【００５５】
以上のように、ネットワークを介して識別情報を取得することで、改めて識別情報を入力する必要がなく、過去の資源を手間を省いて効率的に活用でき、操作が容易である。また、ネットワーク３８上にカードリーダ３２ａを設けることで、複数の医用フィルム印刷装置３，３ａでカードリーダ３２ａを共用でき、装置の稼働効率を向上させることが可能である。この場合、ネットワーク３８上にデータベース３７を備えなくとも識別情報の取得は可能である。また、図７に示すように、データベース３７とカードリーダ３２ａとをネットワーク３８上に備えることで、データベース３７と診察カード８との２つで識別情報の確認ができ、印刷する識別情報の信頼性を向上させることができる。また、診察カード８に患者の氏名がカタカナやローマ字でしか保存されていない場合などは、診察カード８の情報をキーにデータベース３７からその患者の漢字での情報を取得し、識別情報を漢字で印刷することも可能である。従来の現像装置は外国製のものが多く、識別情報が英数字のみで現像されている場合がほとんどであり、漢字で識別情報が印刷されることで、見栄えだけでなく、内容の理解の容易性をも向上させることができる。尚、診断カード８に予め漢字で情報が記録されているような場合には、識別情報を漢字で印刷することが可能で、見栄えだけでなく、内容の理解の容易性をも向上させることができる。
【００５６】
尚、本実施例では、現像装置３５を医用フィルム印刷装置３の一部に組み込んだ例を示しているが、このような構成に限らない。例えば、ネットワーク３８上に設けられた複数の医用フィルム印刷装置３，３ａを、ネットワーク３８上に設けられた複数の画像診断装置７ａ〜７ｃで共有することが可能である。医用フィルム印刷装置３，３ａと画像診断装置７ａ〜７ｃとを１対１で接続した場合と異なり、医用フィルム印刷装置３，３ａのいずれか一台が停止してもシステム全体を稼動し続けることが可能で、システム全体のコストを下げながら撮影から医用フィルムを出力するまでの時間を殆んど増加させることがない。
【実施例４】
【００５７】
実施例１〜実施例３の医用フィルム印刷装置１〜３は、識別情報の取得にあたり、診察カード８等の外部の記録媒体から識別情報を取得している。しかしながら、現像済医用フィルムから識別情報を取得することも可能であり、このような形態について説明する。
【００５８】
図８は、本発明に係る医用フィルム印刷装置の第４の実施例を示す説明図である。図９は、同医用フィルム印刷装置の動作を示すフローチャートである。
【００５９】
図において、医用フィルム印刷装置４は、画像診断装置に接続された医用フィルム５の現像装置で現像された現像済医用フィルム５ａに、撮影した患者の識別情報を印刷するためのものである。医用フィルム印刷装置４は、構造的に、フィルムストッカ２８と、プリンタ２１の基台２３と、フィルム上下機構２７と、フィルムトレイ２９と、制御装置４０と、プリンタ２１とから構成されている点で実施例２の医用フィルム印刷装置２と同様である。医用フィルム印刷装置４は、それらに加え、現像済医用フィルム５ａ上に現像された識別情報を読み取るスキャン手段であるスキャナ４１を備えている。また、制御装置４０は、現像済医用フィルム５ａに識別情報を印刷するための制御を行う点では医用フィルム印刷装置２の制御装置２０と同様であるが、それに加えスキャナ４１を制御し識別情報を取得する機能を備えている。
【００６０】
スキャナ４１は、透過性資料の画像を電子的に取得するためのもので、スキャナ４１の下方には図示しない光源が設けられている。そして、現像済医用フィルム５ａは、スキャナ４１と光源との間を通過するように送られる。
【００６１】
次に、医用フィルム印刷装置４の動作を説明する。尚、以後の説明において、括弧内の符号は図９の各フローチャートの符号に対応している。まず、現像済医用フィルム５ａをフィルムストッカ２８に載置する。載置する現像済医用フィルム５ａは、１枚である必要はなく、１人の患者分のものを同時に載置すればよい。次に、制御装置２０に印刷開始を指示すると、制御装置２０からの制御でフィルム上下機構２７が、無端ベルトを回転させながら基台２３側が上昇し、フィルムストッカ２８の現像済医用フィルム５ａを基台２３に送る。基台２３に送られた現像済医用フィルム５ａは、まず、フィルム送りローラ２６ａ，２６ｂによって一枚ずつ基台２３の奥方向にあるフィルム送りローラ２５方向に送られる（Ｓ３０１）。
【００６２】
フィルム送りローラ２５に送られる途中で、１枚の現像済医用フィルム５ａは、スキャナ４１の下を通過する。このとき、スキャナ４１は、現像済医用フィルム５ａをスキャンし（Ｓ３０３）、スキャンされた画像情報から制御装置４０が識別情報を取得する（Ｓ３０３）。具体的には、例えば図５のような現像がなされた医用フィルム５の場合、スキャンされた画像情報から、透過性の情報として現像された患者の名前や生年月日等の識別情報５ａｂを取得することとなる。尚、画像情報から識別情報を効率良く取得するために、予め、識別情報の現像される位置、文字の大きさ、内容等を適正化しておくことは可能である。
【００６３】
次に、取得された識別情報を制御装置４０の画面等に表示させるなどして、印刷しようとする現像済医用フィルム５ａと印刷する識別情報との確認を行う（Ｓ３０４）。識別情報の取り違え等が判明した場合には（Ｓ３０４−ＮＧ）、改めて識別情報の取得を行う等してミスの防止を行う（Ｓ３０１〜Ｓ３０４）。
【００６４】
スキャナ４１の下を通過し識別情報の確認が終わった後（Ｓ３０４−ＯＫ）、現像済医用フィルム５ａは、フィルム送りローラ２５で位置決めされた状態でプリンタ２１の下に送られる。この位置で、制御装置４０の指示で、プリンタ２１が現像済医用フィルム５ａに識別情報の印刷を行われる（Ｓ３０５）。印刷された印刷済医用フィルム５ｂは、フィルム送りローラ２５によって、基台２３からフィルムトレイ２９の方に排出される（Ｓ３０６）。これにより、１枚の現像済医用フィルム５ａの印刷が終了する。この印刷の作業を繰り返し、フィルムストッカ２８に載置した現像済医用フィルム５ａのすべてを印刷する。
【００６５】
以上のように、スキャナ４１で現像済医用フィルム５ａ上に現像された識別情報を読み取ることから、他の記録媒体を用いたり改めて識別情報を入力する必要がなく、操作が容易である。尚、他の実施例と同様に、スキャナ４１に加え、カードリーダやデータベース等のデータ入力手段から識別情報を取得することも可能である。他のデータ入力手段で入力された識別情報と、スキャナ４１で読み取られた識別情報とを比較して差異を判断することで、医用フィルム５の取り違えやスキャナ４１での誤読を防止し、正確に識別情報を現像済医用フィルム５ａに印刷することができる。尚、スキャナ４１を実施例１の医用フィルム印刷装置１に取り付け、識別情報を取得することも可能である。
【実施例５】
【００６６】
医療現場では、医用フィルムを保管するにあたり、紙袋に収納していることに鑑み、医用フィルムを収納するための紙袋を扱う形態について説明する。
【００６７】
図１０は、本発明に係る医用フィルム印刷装置の第５の実施例を示す説明図である。
【００６８】
本実施例で説明する医用フィルム印刷装置は、他の実施例で説明したものと共通しており、異なる点についてのみ説明する。異なる点としては、医用フィルム印刷装置１〜４に、医用フィルム５と医用フィルム５を収納するための紙袋４５，４７とを識別するフィルム判別手段であるセンサを設けることである。このセンサは、医用フィルム５又は紙袋４５，４７のいずれかであることを判別できるのもで、検知情報をコンピュータ１０や制御装置２０，３０，４０に電子情報として送ることが可能なものであればよい。
【００６９】
次に、センサを備えた医用フィルム印刷装置の動作を説明する。まず、複数の患者の現像済医用フィルム４６ａ，４６ｂ，４８ａ〜４８ｃを紙袋４５，４７で区切って重ね医用フィルム印刷装置にセットする。図１０に示す例では、現像済医用フィルム４６ａ，４６ｂが一人分であり、この２枚の医用フィルムを収納するのが紙袋４５である。また、現像済医用フィルム４８ａ〜４８ｂｃ他の一人分であり、この３枚の医用フィルムを収納するのが紙袋４７である。
【００７０】
医用フィルム印刷装置は、重ねられた現像済医用フィルム４６ａ，４６ｂ，４８ａ〜４８ｃと紙袋４５，４７を一枚ずつセンサに送り、送られたものが医用フィルム５か紙袋４５，４７かを判別する。図１０の場合、最初に紙袋４５が送られ紙袋とセンサが判別しその情報をコンピュータ１０や制御装置２０，３０，４０に送る。このことにより、コンピュータ１０や制御装置２０，３０，４０は、次に紙袋４７を検出するまでは、一人の患者の現像済医用フィルム４６ａ，４６ｂが送られてくると判断して識別情報を印刷していく。現像済医用フィルム４６ａ，４６ｂの印刷が済んだ後、センサが紙袋４７を判別すると、医用フィルム印刷装置は、これ以降の他の一人の現像済医用フィルム４８ａ〜４８ｃが送られてくると判断して識別情報を印刷していく。
【００７１】
以上のように、複数の患者の現像済医用フィルム５ａを紙袋４５，４７で区切って重ね、センサが紙袋４５，４７を検出する度に別の患者の現像済医用フィルム５ａに変わったことを認識し、患者単位で識別情報を現像済医用フィルム５ａに印刷することで、一人の患者あたりの医用フィルム５の枚数を管理する必要がなく、操作が容易となる。
【００７２】
また、紙袋４５，４７が現像済医用フィルム４６ａ，４６ｂ，４８ａ〜４８ｃと同様にプリンタ１１，２１，３１を通過するようにし、プリンタ１１，２１，３１で紙袋４５，４７に識別情報４５ａ，４７ａを印刷するようにしてもよい。プリンタ１１，２１，３１が、医用フィルム５を収納するための紙袋４５，４７に識別情報を印刷可能なことで、紙袋４５，４７への識別情報の記載を自動化で、作業が容易となる。
【産業上の利用可能性】
【００７３】
透過性資料である現像済みの医用フィルムに反射性材料を用いて識別情報を印刷することで、光源を用いることなく容易に情報を視認することができることから、医用フィルムに限らず他の透過性資料に係る用途にも適用できる。
【図面の簡単な説明】
【００７４】
【図１】本発明に係る医用フィルム印刷装置の第１の実施例を示す説明図である。
【図２】同医用フィルム印刷装置の構成を示す構成図である。
【図３】同医用フィルム印刷装置の動作を示すフローチャートである。
【図４】同医用フィルム印刷装置の情報印刷の動作を示すフローチャートである。
【図５】同医用フィルム印刷装置で印刷された医用フィルムの例を示す説明図である。
【図６】本発明に係る医用フィルム印刷装置の第２の実施例を示す説明図である。
【図７】本発明に係る医用フィルム印刷装置の第３の実施例を示す構成図である。
【図８】本発明に係る医用フィルム印刷装置の第４の実施例を示す説明図である。
【図９】同医用フィルム印刷装置の動作を示すフローチャートである。
【図１０】本発明に係る医用フィルム印刷装置の第５の実施例を示す説明図である。
【符号の説明】
【００７５】
１〜４・・・・・・・医用フィルム印刷装置
５・・・・・・・・・医用フィルム
６・・・・・・・・・現像装置
７ａ〜７ｃ・・・・・画像診断装置
８・・・・・・・・・診察カード
１０・・・・・・・・コンピュータ
１１・・・・・・・・プリンタ
１２・・・・・・・・カードリーダ
２０・・・・・・・・制御装置
２１・・・・・・・・プリンタ
２２・・・・・・・・カードリーダ
３０・・・・・・・・制御装置
３１・・・・・・・・プリンタ
３２ａ・・・・・・・カードリーダ
３３，３４・・・・・通信インタフェース
４０・・・・・・・・制御装置
４１・・・・・・・・スキャナ
４５，４７・・・・・紙袋
４６ａ，４６ｂ・・・医用フィルム
４８ａ〜４８ｃ・・・医用フィルム
【図１】
2006043084.tif 000003
【図２】
2006043084.tif 000004
【図３】
2006043084.tif 000005
【図４】
2006043084.tif 000006
【図５】
2006043084.tif 000007
【図６】
2006043084.tif 000008
【図７】
2006043084.tif 000009
【図８】
2006043084.tif 000010
【図９】
2006043084.tif 000011
【図１０】
2006043084.tif 000012